(57)【特許請求の範囲】
【請求項１】
外殻をボディとインシュレータとにより組成するものにおいて、
前記ボディの側部に係合部を形成すると共に、該ボディの側部の縁部にひれ部を形成し、
前記インシュレータには、前記係合部と係合する被係合部を形成すると共に、それらの係合時に前記ひれ部の縁部に面部で線接触状態に接して該ひれ部を圧する押圧部を形成し、
前記ひれ部が、前記押圧部により圧された状態での復元力により前記縁部で該押圧部に密接すると共に、前記係合部と係合した被係合部をひれ部の復元方向に付勢してそれらの係合を強めることを特徴とするスイッチ装置。
【請求項２】
ボディの係合部が外方へ開口しない形態に形成されていることを特徴とする請求項１記載のスイッチ装置。
【発明の詳細な説明】
【技術分野】
【０００１】
本発明は、外殻をボディとインシュレータとにより組成するスイッチ装置に関する。
【背景技術】
【０００２】
従来より、例えば自動車等の車両のインストルメントパネルに装着されるスイッチ装置においては、図７に示すように、外殻１が、ボディ２とインシュレータ３とにより組成されたものが供されている。
【０００３】
このものの場合、ボディ２は、図で右側の側面部と奥方の後面部とが開口する直方体状のボックスであり、手前側の前面部に操作ボタン４を有していて、内部に、図示しないが、操作ボタン４により押圧移動されるコンタクトホルダと、コンタクトホルダに取り付けた可動コンタクト、コンタクトホルダに復帰力を付与する復帰スプリング、コンタクトホルダを移動前の位置と移動後の位置に保持するいわゆるハートカム機構等の保持機構等が配設されるようになっている。
又、ボディ２の、この場合、上下の両側部には、係合孔５が複数（図示例は２つ）ずつ形成されている。
【０００４】
これに対して、インシュレータ３は矩形のプレートであり、ボディ２側に、これも図示しないが、固定コンタクトを有し、奥方の後側には接続端子６を複数有している。又、このインシュレータ３の、この場合、上下の両側部には、係合爪７が上記係合孔５と同数ずつ形成されている。
【０００５】
この構成で、図８に示すように、インシュレータ３がボディ２の図で右側の側面部に押し込まれ、係合爪７を係合孔５に係合させてインシュレータ３がボディ２に結合されることにより、外殻１が組成されている。
【０００６】
そして、その組成状態で、操作ボタン４を前方より押圧操作すると、コンタクトホルダが復帰スプリングの付勢力に抗し奥方へ移動されて、可動コンタクトを固定コンタクトに接触させる。又、そのときには、保持機構がコンタクトホルダを移動後の位置に保持し、それに伴って、操作ボタン４も押圧後の位置に、可動コンタクトは固定コンタクトに接触した位置にそれぞれ保持される。
【０００７】
次いで、操作ボタン４を再度押圧操作すると、保持機構がコンタクトホルダの保持を解除することにより、コンタクトホルダが復帰移動し、それに伴って、可動コンタクトは固定コンタクトから離間する位置に、操作ボタン４は当初の押圧前の位置にそれぞれ復帰する。
なお、以上の従来構成は一般的なものであり、それを表した先行技術文献を見つけることはできなかった。
【発明の概要】
【発明が解決しようとする課題】
【０００８】
上記従来のものの場合、外殻１の組成状態で、ボディ２の上下の両側部の縁部とインシュレータ３の上下の両側部との間には、ボディ２に対するインシュレータ３の組み込みのための隙間が不可避的に残る。このため、それらの外殻１の上方より水がかかると、その隙間から外殻１の内部に水が浸入し、固定コンタクトの水による導通など、不具合を惹起するおそれがあった。
【０００９】
本発明は上述の事情に鑑みてなされたものであり、従ってその目的は、防水性に優れ、併せて外殻の組成精度も高く得ることのできるスイッチ装置を提供するにある。
【課題を解決するための手段】
【００１０】
上記目的を達成するために、本発明のスイッチ装置は、外殻をボディとインシュレータとにより組成するものにおいて、前記ボディの側部に係合部を形成すると共に、該ボディの側部の縁部にひれ部を形成し、前記インシュレータには、前記係合部と係合する被係合部を形成すると共に、それらの係合時に前記ひれ部の縁部に面部で線接触状態に接して該ひれ部を圧する押圧部を形成し、前記ひれ部が、前記押圧部により圧された状態での復元力により前記縁部で該押圧部に密接すると共に、前記係合部と係合した被係合部をひれ部の復元方向に付勢してそれらの係合を強めることを特徴とする（請求項１の発明）。
【発明の効果】
【００１１】
上記手段によれば、ボディの係合部とインシュレータの被係合部との係合時に、ボディのひれ部の縁部にインシュレータの押圧部が面部で線接触状態に接して該ひれ部を圧し、この圧された状態での復元力によってひれ部が縁部で押圧部に密接することにより、優れた防水性が得られ、そして、上記ひれ部が係合部と係合した被係合部をひれ部の復元方向に付勢してそれらの係合を強めることにより、外殻の組成精度を高く得ることができるようになる。
【図面の簡単な説明】
【００１２】
【図１】本発明の第１実施例を示す、図４のＩ−Ｉ線に沿う断面図
【図２】主要部分の拡大断面図
【図３】全体の外観斜視図
【図４】全体の側面図
【図５】全体の分解斜視図
【図６】本発明の第２実施例を示す図１相当図
【図７】従来例を示す図５相当図
【図８】図３相当図
【発明を実施するための形態】
【００１３】
以下、本発明の第１実施例（第１の実施形態）につき、図１ないし図５を参照して説明する。
まず、図３ないし図５には、スイッチ装置の全体構成を示しており、外殻１１を、ボディ１２とインシュレータ１３とにより組成している。このうち、ボディ１２は、ＡＢＳ樹脂などプラスチックにより作製したもので、図で右側の側面部と奥方の後面部とが開口する直方体状のボックスであり、手前側の前面部に操作ボタン１４を有している。ボディ１２の内部には、図示しないが、操作ボタン１４により押圧移動されるコンタクトホルダと、コンタクトホルダに取り付けた可動コンタクト、コンタクトホルダに復帰力を付与する復帰スプリング、コンタクトホルダを移動前の位置と移動後の位置に保持するいわゆるハートカム機構等の保持機構等を配設するようにしている。
【００１４】
又、ボディ１２の、この場合、上下の両側部には、係合部として係合凹部１５を複数（図示例は２つ）ずつ形成している。この係合凹部１５は、スライドコアを使用して型成形することにより、ボディ１２の上下の両側部の内側に形成したもので、図１及び図２に示すように、外方へ開口しない形態に形成している。
【００１５】
更に、ボディ１２の、この場合、上下の両側部のインシュレータ１３側の縁部には、それぞれその全長にわたり、ひれ部１６を形成している。このひれ部１６は、詳細には常態を図２に二点鎖線で示すように、ボディ１２の上下の両側部のインシュレータ１３側の縁部の内側から直状に後方へ延びて、更にその先端から斜め外方へ延びるものであり、その肉厚はボディ１２の上下の両側部より小さくしている。
【００１６】
これに対して、インシュレータ１３は矩形のプレートであり、ボディ２側に、これも図示しないが、固定コンタクトを有し、奥方の後側には接続端子１７を複数有している。又、このインシュレータ１３の、この場合、上下の両側部には、ボディ２側に、被係合部として係合爪１８を上記係合凹部１５と同数ずつ形成している。
【００１７】
又、インシュレータ１３の、この場合、上下の両側部には、それぞれその全長にわたり、外縁部（ボディ２側とは反対の側）に押圧部１９を形成している。この押圧部１９は、インシュレータ１３の上下の両側部の外縁部からそれぞれ上下の両側方へ直状に張り出したものであり、ボディ２側に平坦な面部１９ａを有している。
【００１８】
この構成で、図１に示すように、インシュレータ１３をボディ１２の図で右側の側面部の開口部に押し込み、係合爪１８を係合凹部１５に係合させてインシュレータ１３をボディ１２に結合している。このとき、インシュレータ１３の押圧部１９は、ボディ１２のひれ部１６の縁部１６ａに面部１９ａで線接触状態に接して該ひれ部１６を圧するものであり、圧せられたひれ部１６は図２に二点鎖線で示した状態から実線で示す状態にたわみ変形し、その状態からの復元力により上記縁部１６ａで押圧部１９の面部１９ａに密接すると共に、前記係合凹部１５と係合した係合爪１８をひれ部１６の復元方向（この場合、外側方）に付勢してそれらの係合を強めるように働く。
【００１９】
かくして、外殻１１を組成するものであり、その組成状態では、上述のインシュレータ１３の押圧部１９により圧せられたひれ部１６が、復元力により縁部１６ａで押圧部１９の面部１９ａに線接触状態で密接することにより、優れた防水性が得られる。よって、
外殻１１の上方より水がかかっても、外殻１１の内部に水が浸入することはなく、固定コンタクトの水による導通など、不具合を惹起するおそれをなくすことができる。
【００２０】
しかも、この場合、上記ひれ部１６が係合凹部１５と係合した係合爪１８をひれ部１６の復元方向に付勢してそれらの係合を強めるように働くことにより、それらの係合部分でのがたつきをなくし得て、外殻１１の組成精度を高く得ることができ、製品品質を向上させることができる。
【００２１】
加えて、上記構成では、ボディ１２の係合凹部１５を外方へ開口しない形態に形成しており、これによって、外殻１１の内部への水への水の浸入をより確実になくすことができる。
【００２２】
なお、外殻１１の組成状態では、接続端子１７は先端部がボディ１１の後面部の開口に臨み、図示しないコネクタの接続を受けるようになっている。
又、外殻１１の組成状態で、操作ボタン１４を前方より押圧操作すると、ボディ１１内のコンタクトホルダが復帰スプリングの付勢力に抗し奥方へ移動されて、可動コンタクトを固定コンタクトに接触させる。又、そのときには、保持機構がコンタクトホルダを移動後の位置に保持し、それに伴って、操作ボタン１４も押圧後の位置に、可動コンタクトは固定コンタクトに接触した位置にそれぞれ保持される。
【００２３】
次いで、操作ボタン１４を再度押圧操作すると、保持機構がコンタクトホルダの保持を解除することにより、コンタクトホルダが復帰移動し、それに伴って、可動コンタクトは固定コンタクトから離間する位置に、操作ボタン１４は当初の押圧前の位置にそれぞれ復帰する。
【００２４】
以上に対して、図６は本発明の第２実施例（第２の実施形態）を示すもので、第１実施例と同一の部分には同一の符号を付して説明を省略し、異なる部分についてのみ述べる。
このものの場合、ボディ１２には前記係合凹部１５に代えて係合爪２１を形成し、インシュレータ１３には前記係合爪１８に代えて係合凹部２２を形成している。従って、ボディ１２が有する係合部は係合凹部１５と係合爪２１のいずれであっても良く、インシュレータ１３が有する被係合部は係合爪１８と係合凹部２２のいずれであっても良い。
【００２５】
又、このものの場合、ボディ１２が有するひれ部２３は、前記ひれ部１６とは反対に、先端側を斜め内方へ延ばしたものとしており、この構成で、インシュレータ１３の押圧部１９により圧せられて、その復元力により、縁部１６ａを押圧部１９の面部１９ａに密接させている。
【００２６】
このようにしても、第１実施例同様の作用効果を得ることができる。
更に、図示しないが、ボディ１２のひれ部１６，２３と、インシュレータ１３の押圧部１９は、ボディ１２及びインシュレータ１３のそれぞれ上下の両側部だけでなく、前後の両側部にも形成するようにしても良い。
そのほか、本発明は上記し且つ図面に示した実施例にのみ限定されるものではなく、要旨を逸脱しない範囲内で適宜変更して実施し得る。
【符号の説明】
【００２７】
図面中、１１は外殻、１２はボディ、１３はインシュレータ、１５は係合凹部（係合部）、１６はひれ部、１６ａは縁部、１８は係合爪（被係合部）、１９は押圧部、１９ａは面部、２１は係合爪（係合部）、２２は係合凹部（被係合部）、２３はひれ部、２３ａは縁部を示す。
【図１】
0005351099.tif 000002
【図２】
0005351099.tif 000003
【図３】
0005351099.tif 000004
【図４】
0005351099.tif 000005
【図５】
0005351099.tif 000006
【図６】
0005351099.tif 000007
【図７】
0005351099.tif 000008
【図８】
0005351099.tif 000009